(57)【要約】【課題】撮像装置の処理能力に依存せず、適切な画質に補正された画像を取得することが可能な撮像システムを提供する。【解決手段】被写体に係る撮像データを取得する撮像装置と、情報端末とが相互に通信可能に構成された撮像システムであって、前記情報端末は、前記撮像装置から送信された前記撮像データに基づいて、当該撮像データの画質を補正するための画像補正情報を導出する補正情報導出手段を備え、前記撮像装置は、前記情報端末から送信された画像補正情報に基づいて前記取得された撮像データの画質を補正した補正画像データを生成する画像処理手段を備える。【選択図】図７
2007081549.tif 000002
【特許請求の範囲】
【請求項１】
被写体に係る撮像データを取得する撮像装置と、情報端末とが相互に通信可能に構成された撮像システムであって、
前記情報端末は、前記撮像装置から送信された前記撮像データに基づいて、当該撮像データの画質を補正するための画像補正情報を導出する補正情報導出手段を備え、
前記撮像装置は、前記情報端末から送信された画像補正情報に基づいて前記取得された撮像データの画質を補正した補正画像データを生成する画像処理手段を備えたことを特徴とする撮像システム。
【請求項２】
被写体に係る撮像データを取得する撮像装置と、情報端末とが相互に通信可能に構成された撮像システムであって、
前記情報端末は、前記撮像装置から送信された前記撮像データに基づいて、当該撮像データの画質を補正するための画像補正情報を導出する補正情報導出手段と、前記生成された画像補正情報に基づいて前記送信された撮像データの画質を補正した補正画像データを生成する画像処理手段と、を備え、
前記生成された補正画像データを前記撮像装置に送信することを特徴とする撮像システム。
【請求項３】
前記補正情報導出手段は、前記撮像データの撮像シーンを判別し、当該判別された撮像シーンに応じた前記画像補正情報を導出することを特徴とする請求項１又は２に記載の撮像システム。
【請求項４】
前記補正情報導出手段は、前記撮像データに含まれた人物の顔領域を判別し、当該判別された顔領域に含まれる画素値に基づいて、前記画像補正情報を取得することを特徴とする請求項１〜３の何れか一項に記載の撮像システム。
【請求項５】
被写体に係る撮像データを取得し、当該撮像データのデータサイズを縮小した縮小データを生成する撮像装置と、情報端末とが相互に通信可能に構成された撮像システムであって、
前記情報端末は、前記撮像装置から送信された前記縮小データに基づいて、前記撮像データの画質を補正するための画像補正情報を導出する補正情報導出手段を備え、
前記撮像装置は、前記情報端末から送信された画像補正情報に基づいて前記取得された撮像データの画質を補正した補正画像データを生成する画像処理手段を備えたことを特徴とする撮像システム。
【請求項６】
前記補正情報導出手段は、前記縮小データの撮像シーンを判別し、当該判別された撮像シーンに応じた前記画像補正情報を導出することを特徴とする請求項５に記載の撮像システム。
【請求項７】
前記補正情報導出手段は、前記縮小データに含まれた人物の顔領域を判別し、当該判別された顔領域に含まれる画素値に基づいて、前記画像補正情報を取得することを特徴とする請求項５又は６に記載の撮像システム。
【請求項８】
前記撮像データは、当該撮像データが撮像された際の撮像条件を示した撮像条件情報を含むことを特徴とする請求項１〜７の何れか一項に記載の撮像システム。
【請求項９】
前記縮小データは、当該縮小データに対応する前記撮像データが撮像された際の撮像条件を示した撮像条件情報を含むことを特徴とする請求項５〜７の何れか一項に記載の撮像システム。
【発明の詳細な説明】
【技術分野】
【０００１】
本発明は、被写体の撮像を行う撮像装置を有した撮像システムに関する。
【背景技術】
【０００２】
近年、撮像装置（デジタルカメラ、携帯電話機やラップトップパソコン等の情報端末機器に組み込まれたものも含む。以下、ＤＳＣという）で撮影した画像データを、パーソナルコンピュータ等の情報端末（以下、ＰＣ（Personal Computer）という）等を介さずに、直接インクジェットプリンタ等のプリンタ機器に伝送して出力を行うＰｉｃｔＢｒｉｇｄｅと称する規格（ＣＩＰＡ  ＤＣ−００１）が提案されている。しかしながら、ＤＳＣで撮影された画像が逆光画像や露出アンダー画像等の撮像条件の好ましくない画像データである場合に出力を行ったとしても、画像データはそのままの状態で出力されるため好適なプリント画像を得ることはできない。そのため、ＤＳＣ内において明度補正等の適切な画像処理を画像データに対して施した後出力する必要がある。
【０００３】
従来、撮像条件が好ましくない画像データを適切な画像データに補正する画像処理として種々の方法が提案されている。例えば、画像データから、順光、逆光、ストロボ等の、被写体を撮影する時の光源条件及びアンダー撮影等の露出条件を示した撮影シーンを解析し、この撮影シーンに応じた階調補正を施すシーン判別処理がある。また、画像データに人物像が含まれる場合、この人物像の顔領域に対して画像処理を施すことが効果的であるため、顔領域抽出のための方法が提案されている。特許文献１には、画像データに含まれる人物の顔候補領域を抽出し、この顔候補領域の平均輝度の画像全体に対する偏りを算出し、偏倚量が大きい場合、撮影シーン（逆光撮影かストロボ撮影か）の判別を行い、顔領域としての判断基準の許容量を調整する画像処理方法が開示されている。
【特許文献１】特開２０００−１４８９８０号公報
【発明の開示】
【発明が解決しようとする課題】
【０００４】
しかしながら、ＤＳＣにおいてはＰＣと比較して処理能力に制限があるため、十分な画像の解析を行うことができず、適切な補正を行うことができないという問題がある。
【０００５】
本発明の課題は、撮像装置の処理能力に依存せず、適切な画質に補正された画像を取得することが可能な撮像システムを提供することである。
【課題を解決するための手段】
【０００６】
上記課題を解決するために、請求項１に記載の発明は、
被写体に係る撮像データを取得する撮像装置と、情報端末とが相互に通信可能に構成された撮像システムであって、
前記情報端末は、前記撮像装置から送信された前記撮像データに基づいて、当該撮像データの画質を補正するための画像補正情報を導出する補正情報導出手段を備え、
前記撮像装置は、前記情報端末から送信された画像補正情報に基づいて前記取得された撮像データの画像を補正した補正画像データを生成する画像処理手段を備えたことを特徴としている。
【０００７】
また、上記課題を解決するために、請求項２に記載の発明は、
被写体に係る撮像データを取得する撮像装置と、情報端末とが相互に通信可能に構成された撮像システムであって、
前記情報端末は、前記撮像装置から送信された前記撮像データに基づいて、当該撮像データの画質を補正するための画像補正情報を導出する補正情報導出手段と、前記生成された画像補正情報に基づいて前記送信された撮像データの画質を補正した補正画像データを生成する画像処理手段と、を備え、
前記生成された補正画像データを前記撮像装置に送信することを特徴としている。
【０００８】
更に、請求項３に記載の発明は、請求項１又は２に記載の発明において、
前記補正情報導出手段は、前記撮像データの撮像シーンを判別し、当該判別された撮像シーンに応じた前記画像補正情報を導出することを特徴としている。
【０００９】
更に、請求項４に記載の発明は、請求項１〜３の何れか一項に記載の発明において、
前記補正情報導出手段は、前記撮像データに含まれた人物の顔領域を判別し、当該判別された顔領域に含まれる画素値に基づいて、前記画像補正情報を取得することを特徴としている。
【００１０】
また、上記課題を解決するために、請求項５に記載の発明は、
被写体に係る撮像データを取得し、当該撮像データのデータサイズを縮小した縮小データを生成する撮像装置と、情報端末とが相互に通信可能に構成された撮像システムであって、
前記情報端末は、前記撮像装置から送信された前記縮小データに基づいて、前記撮像データの画質を補正するための画像補正情報を導出する補正情報導出手段を備え、
前記撮像装置は、前記情報端末から送信された画像補正情報に基づいて前記取得された撮像データの画質を補正した補正画像データを生成する画像処理手段を備えたことを特徴としている。
【００１１】
更に、請求項６に記載の発明は、請求項５に記載の発明において、
前記補正情報導出手段は、前記縮小データの撮像シーンを判別し、当該判別された撮像シーンに応じた前記画像補正情報を導出することを特徴としている。
【００１２】
更に、請求項７に記載の発明は、請求項５又は６に記載の発明において、
前記補正情報導出手段は、前記縮小データに含まれた人物の顔領域を判別し、当該判別された顔領域に含まれる画素値に基づいて、前記画像補正情報を取得することを特徴としている。
【００１３】
更に、請求項８に記載の発明は、請求項１〜７の何れか一項に記載の発明において、
前記撮像データは、当該撮像データが撮像された際の撮像条件を示した撮像条件情報を含むことを特徴としている。
【００１４】
更に、請求項９に記載の発明は、請求項５〜７の何れか一項に記載の発明において、
前記縮小データは、当該縮小データに対応する前記撮像データが撮像された際の撮像条件を示した撮像条件情報を含むことを特徴としている。
【発明の効果】
【００１５】
請求項１に記載の発明によれば、情報端末において撮像データを処理して得られた画像補正情報に基づいて撮像装置が撮像データの画質を補正するため、撮像装置の処理能力に依存することなく、適切な画質に補正された補正画像データを取得することができる。
【００１６】
請求項２に記載の発明によれば、情報端末において撮像データを処理して得られた画像補正情報に基づいて撮像データの画質を補正した補正画像データを生成し、この補正画像データを撮像装置に送信するため、撮像装置の処理能力に依存することなく、適切な画質に補正された補正画像データを取得することができる。
【００１７】
請求項３に記載の発明によれば、撮像データの撮像シーンに応じた画像補正情報を導出するため、より適切な画像補正情報を導出することができる。
【００１８】
請求項４に記載の発明によれば、撮像データに含まれた顔領域に含まれる画素値に基づいて画像補正情報を導出するため、より適切な画像補正情報を導出することができる。
【００１９】
請求項５に記載の発明によれば、情報端末において撮像データに対応する縮小データを処理して得られた画像補正情報に基づいて撮像装置が撮像データの画質を補正するため、撮像装置の処理能力に依存することなく、適切な画質に補正された補正画像データを取得することができる。
また、撮像データのデータサイズを縮小した縮小データを送信するため、撮像データの送受信時と比較して、撮像装置及び情報端末の送受信に係る負荷を軽減することが可能となり、処理を迅速に行うことができる。
【００２０】
請求項６に記載の発明によれば、縮小データの撮像シーンに応じた画像補正情報を導出するため、より適切な画像補正情報を導出することができる。
【００２１】
請求項７に記載の発明によれば、縮小データに含まれた顔領域に含まれる画素値に基づいて画像補正情報を導出するため、より適切な画像補正情報を導出することができる。
【００２２】
請求項８に記載の発明によれば、撮像条件情報に基づいて、より適切な画像補正情報を導出することができる。
【００２３】
請求項９に記載の発明によれば、撮像条件情報に基づいて、より適切な画像補正情報を導出することができる。
【発明を実施するための最良の形態】
【００２４】
以下、本発明を実施するための最良の形態について図面を用いて説明する。ただし、本発明の範囲は、図示例に限定されないものとする。
【００２５】
＜第１の実施形態＞
図１に、本実施形態における撮像システム１００の概略図を示す。
図１に示すように、撮像システム１００は、ＤＳＣ１０とＰＣ２０とを有して構成されている。ＤＳＣ１０は、無線通信局３０との間でＩＥＥＥ８０２．１１規格やＢｌｕｅ  ｔｏｏｔｈ規格等に準拠した無線による情報の送受信が可能となっており、この無線通信局３０を介してネットワークＮに接続することが可能となっている。また、ＤＳＣ１０とＰＣ２０とはネットワークＮを介して情報の送受信が可能に接続されている。即ち、無線通信局３０は、ＤＳＣ１０とＰＣ２０との間で送受信される各種情報（データ）の中継を行う。
【００２６】
なお、本実施形態では、ＤＳＣ１０は無線通信局３０を介した無線通信によりネットワークＮと接続する態様としたが、これに限らず、例えば、有線によりネットワークＮと直接接続される態様としてもよい。また、ＰＣ２０が無線通信局３０を介してネットワークＮに接続される態様としてもよい。また、ＤＳＣ１０とＰＣ２０とが無線又は有線により直接接続される態様としてもよい。ＤＳＣ１０とＰＣ２０との間の通信は、例えば、ＰＴＰ／ＩＰ（Picture Transfer Protocol over Internet Protocol）を用いることができる。 
【００２７】
ＤＳＣ１０は、デジタルカメラ、撮像手段を備えた携帯電話機やラップトップパソコン等の情報端末機器等の撮像装置であって、後述する撮像部１５（図２参照）により被写体に係る撮像データを取得する。
【００２８】
ＰＣ２０は、パーソナルコンピュータやサーバ等の情報端末であって、後述する画像補正処理（図６参照）においてＤＳＣ１０から送信される撮像データ又は縮小データに基づいて当該撮像データの画像補正情報の取得を行う。
【００２９】
ネットワークＮは、専用線や既存の一般公衆回線を利用して構築された通信ネットワークであり、ＬＡＮやＷＡＮ等の様々な回線形態を適用することが可能である。なお、本撮像システム１００に接続されるＤＳＣ１０及びＰＣ２０の数は、特に限らないものとする。
【００３０】
以下、撮像システム１００の各構成装置について説明する。
図２は、ＤＳＣ１０の機能的構成を示した図である。
図２に示すようにＤＳＣ１０は、制御部１１、操作部１２、表示部１３、記憶部１４、撮像部１５、通信部１６等から構成される。
【００３１】
制御部１１は、不図示のＣＰＵ（Central Processing Unit）、ＲＡＭ（Random Access Memory）等からなり、ＣＰＵは、ＲＡＭの所定領域を作業領域として、記憶部１４に予め記憶された各種制御プログラムを実行しＤＳＣ１０を構成する各部の動作を制御する。また制御部１１は、操作部１２を介して入力される制御信号にしたがいながらＲＯＭに記録されたアプリケーションプログラムを読出・実行してＤＳＣ１０の各種機能を実現するようになっている。なお、制御部１１の詳細については後述する。
【００３２】
操作部１２は、文字入力キー，数字入力キーその他各種機能に対応付けられたキー等を含み、ユーザによるキー操作で押下されたキーに対応する押下信号を制御部１１に出力する。ユーザは、操作部１２を介して被写体の撮影を行う撮影モードの指示や、レリーズ等を指示することが可能となっており、所定のキー操作により撮影モードの押下信号を受けた制御部１１は、撮像部１５による撮影動作を開始させる。
【００３３】
表示部１３は、ＬＣＤ（Liquid Crystal Display）、有機又は無機ＥＬＤ（ElectroLuminescence Display）等から構成されており、制御部１１から入力された表示データに基づいて、当該表示部のディスプレイ上に画像を表示する。
【００３４】
記憶部１４は、プログラムやデータ等が予め記録されている記録媒体（図示せず）を有しており、この記録媒体は磁気的、光学的記録媒体、若しくは半導体メモリで構成されている。この記録媒体は、記憶部１４に固定的に設けられるもの、若しくは着脱自在に装着するものであり、この記録媒体には、各種処理プログラム、及び各種処理プログラムで処理されたデータ等を記録する。また、プログラムは、コンピュータが読み取り可能なプログラムコードの形態で格納され、制御部１１は、当該プログラムコードに従った動作を逐次実行する。
また、記憶部１４は、撮像部１５により撮像された撮像データ、後述する縮小部１１２により生成された縮小データ、ＰＣ２０から送信された画像補正情報、当該画像補正情報に基づいて生成された補正画像データ等を記憶する。
【００３５】
撮像部１５は、不図示の鏡胴内に収められた１又は複数からなるレンズ、このレンズにより受光された被写体像の光を電気的な画像信号へと光電変換するＣＣＤ（Charge Coupled Devices）、ＣＭＯＳ（Complementary Metal Oxide Semiconductor）等の撮像素子等から構成される。また、撮像部１５は、撮影時における照明補助を行うフラッシュ光源（図示せず）を備え、制御部１１による制御の下、閃光発光（フラッシュ）を行う。
【００３６】
通信部１６は、ＩＥＥＥ８０２．１１規格やＢｌｕｅ  ｔｏｏｔｈ規格等に準拠したインターフェイスであって、無線通信局３０との通信を行うための制御を行う。
【００３７】
図３は、上述した制御部１１の内部構成を示す図である。
図３に示すように、制御部１１は、撮像データ取得部１１１、縮小部１１２、画像データ送信制御部１１３、画像補正情報受信制御部１１４、画像処理部１１５により構成される。
【００３８】
撮像データ取得部１１１は、撮像部１５により撮像された画像信号を撮像データとして取得し、この撮像データを記憶部１４に一時記憶させる。ここで、撮像データ取得部１１１は、撮像データを取得した際に、この撮像データが撮像された際の撮影日時や、シャッタースピード、絞り、焦点距離、フラッシュ使用の有無等の撮像条件に関する情報や、被写体輝度値、被写体領域、被写体位置、ＤＳＣ１０の識別名称（型番）、撮影者のユーザ名等に関する情報を含んだ撮像条件情報を撮像データに付加する。撮像条件情報は、例えば、撮像データのヘッダ部に付加することとしてもよいし、Ｅｘｉｆ（Exchangeable Image File Format）等所定の形式に準拠した態様で付加することとしてもよい。
【００３９】
なお、撮像データは、撮像素子からの画像信号がそのままの状態、つまりＲＡＷデータの状態で記憶されることとしてもよいし、撮像素子からの画像信号に所定の処理を施すことで生成されるＪＰＥＧ（Joint Photographic Experts Group）等の所定の規格に準拠したＪＰＥＧデータの状態で記憶されることとしてもよい。なお、撮像データ取得部１１１がＪＰＥＧデータの生成を行うものとするが、他の機能部（例えば、画像処理部１１５等）が行うこととしてもよい。
【００４０】
縮小部１１２は、撮像データ取得部１１１により取得された撮像データから縮小データを生成する。ここで縮小データとは、撮像データよりも画像サイズが小さい画像データを指しており、好ましくはサムネイルサイズ、より好ましくはサムネイルサイズよりも小さな画像データのことを示す。この縮小データは、撮像データに対する公知の縮小処理や、撮像データから所定のデータ量が間引きされる等により生成される。なお、縮小データの生成の際には、当該縮小データの基となった撮像データの撮像条件情報が引き継いで付加されるものとする。
【００４１】
画像データ送信制御部１１３は、撮像データ取得部１１１で取得された撮像データ又は縮小部１１２で生成された縮小データを、通信部１６を介してＰＣ２０に送信するための制御を行う。
【００４２】
画像補正情報受信制御部１１４は、ＰＣ２０から送信された画像補正情報を、通信部１６を介して受信するための制御を行う。
【００４３】
画像処理部１１５は、画像補正情報受信制御部１１４の制御により受信された画像補正情報に基づいて、記憶部１４に一時記憶された撮像データに所定の画像処理を施すことで当該撮像データの画質を補正した補正画像データを生成し、記憶部１４に記憶させる。例えば、撮像データがＲＡＷデータである場合、このＲＡＷデータに対し、撮像部１５の撮像素子に適した補間処理を行ってＲ、Ｇ、Ｂ等の色別の画像信号を生成する。さらに画像補正情報に基づいて階調補正、ホワイトバランス調整、鮮鋭強調処理、ノイズ除去等の画像処理を施し、その結果の画像データに対して記録フォーマット変換処理や圧縮処理を行うことで補正画像データを生成する。
【００４４】
上述した制御部１１における各部の動作（処理）は、制御部１１内に備えられたＡＳＩＣ（Application Specific Integrated Circuit）等の専用回路によるハードウェア処理により行われることとしてもよいし、記憶部１４に記憶された所定のプログラムとの協同により実現されるソフトウェア処理により行われることとしてもよい。
【００４５】
次に、ＰＣ２０について説明する。
図４は、ＰＣ２０の内部構成を示した図である。
図４に示すようにＰＣ２０は、制御部２１、操作部２２、表示部２３、記憶部２４、通信部２５等から構成される。
【００４６】
制御部２１は、不図示のＣＰＵ、ＲＡＭ等からなり、ＣＰＵは、ＲＡＭの所定領域を作業領域として、記憶部２４に予め記憶された各種制御プログラムを実行しＰＣ２０を構成する各部の動作を制御する。
【００４７】
操作部２２は、文字入力キー，数字入力キーその他各種機能に対応付けられたキーを備えたキーボード、マウス等を含み、ユーザによるキー操作で押下されたキーに対応する押下信号を制御部２１に出力する。
【００４８】
表示部２３は、ＣＲＴ（Cathode Ray Tube）、ＬＣＤ、有機又は無機ＥＬＤ等から構成されており、制御部２１から入力された表示データに基づいてディスプレイ上に画像を表示する。
【００４９】
記憶部２４は、プログラムやデータ等が予め記録されている記録媒体（図示せず）を有しており、この記録媒体は磁気的、光学的記録媒体、若しくは半導体メモリで構成されている。この記録媒体は、記憶部２４に固定的に設けられるもの、若しくは着脱自在に装着するものであり、この記録媒体には、各種処理プログラム、及び各種処理プログラムで処理されたデータ等を記録する。また、プログラムは、コンピュータが読み取り可能なプログラムコードの形態で格納され、制御部２１は、当該プログラムコードに従った動作を逐次実行する。
【００５０】
また、記憶部２４は、通信部２５を介してＤＳＣ１０から送信される画像データ（撮像データ又は縮小データ）を一時記憶する。
【００５１】
通信部２５は、ＬＡＮ、ＷＡＮ等のネットワークＮに接続された伝送媒体に接続可能なインターフェイスであって、ネットワークＮを介して接続される外部機器との通信を行うための制御を行う。
【００５２】
図５は、上述した制御部２１の内部構成を示す図である。
図５に示すように、制御部２１は、画像データ受信制御部２１１、画像補正情報導出部２１２、画像補正情報送信制御部２１３により構成される。
【００５３】
画像データ受信制御部２１１は、ＤＳＣ１０から送信された画像データを、通信部２５を介して受信するための制御を行う。
【００５４】
画像補正情報導出部２１２は、画像データ受信制御部２１１により受信された画像データの撮像シーンを判別し、この判別された撮像シーンに応じて、画像データの画質を補正するために必要な画像補正情報を導出する。ここで、画像補正情報とは、例えば、階調補正方法、階調補正量、階調変換曲線、色マトリクス、鮮鋭強調度合い、ノイズ除去レベル等が挙げられる。また、撮像シーンとは、順光、逆光、ストロボ等の被写体撮像時における光源条件、露出アンダー等の撮像データの露出条件等を意味する。
【００５５】
以下、撮像シーン判別方法及び画像補正情報導出方法の一例について説明する。なお、本実施形態では、上述した画像補正情報のうち階調補正方法、階調補正量の導出方法について説明するが、色マトリクス、鮮鋭強調度合い、ノイズ除去レベル等他の画像補正情報に関しても、公知の方法等により導出が行われるものとする。
【００５６】
まず、画像補正情報導出部２１２は、画像データに含まれる画素のＲＧＢ（Red、Green、Blue）値をマンセルのＨＳＶ（Hue（色相）、Saturation（彩度）、Value（明度））表色系に変換し、この画像データを明度と色相及び／又は明度と構図の組み合わせからなる領域に分割する。そして、明度と色相の組み合わせに基づいて分割された領域毎に画像データ全体に占める割合を示す占有率（以下、第１の占有率という）及び／又は画像データを画面の外縁からの距離と明度の組み合わせからなる所定の領域に分割し、分類された領域毎に画像データ全体に占める割合を示す占有率（以下、第２の占有率という）を算出する。続いて、各領域の第１の占有率及び／又は第２の占有率に撮像条件に応じて予め設定された係数を乗算することより、撮像シーンを特定するための１又は複数の指標を算出し、この算出された指標に基づいて撮像シーンを判別する。なお、撮像シーンの判別方法は、この例に限らず、例えば、画像データに付加された撮像条件情報に含まれる撮像条件に基づいて判別することとしてもよいし、撮像シーンを特定するための１又は複数の指標と撮影条件とを組み合わせることで撮像シーンを判別するようにしてもよいし、また、公知の技術を用いて判別することとしてもよい。
【００５７】
次に、画像補正情報導出部２１２は、上述した判別方法により判別された撮像シーンに応じた階調補正方法を決定し、この決定された階調補正方法に応じた補正パラメータを導出する。例えば、撮像シーンが順光である場合は、図６（ａ）に示すように、画像データの画素値を平行移動（オフセット）補正する方法が適用される。撮像シーンが逆光である場合は、図６（ｂ）に示すように、画像データの画素値をガンマ補正する方法が適用される。撮像シーンがストロボである場合は、図６（ｃ）に示すように、画像データの画素値をガンマ補正及び平行移動（オフセット）補正する方法が適用される。撮像シーンが露出アンダーである場合は、図６（ｂ）に示すように、画像データの画素値をガンマ補正する方法が適用される。なお、図６において、実線分は画像データの階調曲線を示しており、波線分は階調変換曲線を示している。
【００５８】
そして、画像補正情報導出部２１２は、撮像シーンに応じて決定した階調補正方法において階調補正を行うのに必要な画像補正情報を、上述した指標及び／又は画像データから算出されるパラメータに基づいて導出する。ここで、パラメータは、例えば、画像データ全体の平均輝度や、領域毎の平均輝度、画像データに含まれる肌色領域の平均輝度等を少なくとも含むものとし、所定の関係式に基づいて算出されるものとする。なお、画像補正情報の導出は、各階調補正方法に対応して予め設定された複数の階調変換曲線の中から、算出されたパラメータに対応する階調変換曲線を選択する態様としてもよいし、算出されたパラメータに基づいて階調変換曲線（階調調整量）を算出する態様としてもよい。
【００５９】
また、画像補正情報導出部２１２は、画像データに含まれた人物の顔領域を判別し、当該判別された顔領域に含まれる画素値に基づいて、前記画像補正情報を取得することとしてもよい。ここで、顔領域の判別方法は公知の技術を用いることが可能である。なお、上述した撮像シーンの判別処理と顔領域の判別処理とを併せて行うこととしてもよいし、何れかの処理を行うこととしてもよい。
【００６０】
画像補正情報送信制御部２１３は、画像補正情報送信制御部２１３で生成された画像補正情報を、通信部２５を介してＤＳＣ１０に送信するための制御を行う。
【００６１】
上述した制御部２１における各部の動作（処理）は、制御部２１内に備えられたＡＳＩＣ等の専用回路によるハードウェア処理により行われることとしてもよいし、記憶部２４に記憶された所定のプログラムとの協同により実現されるソフトウェア処理により行われることとしてもよい。
【００６２】
次に、図７及び図８を参照して、ＤＳＣ１０とＰＣ２０との間で行われる画像データ補正処理について説明する。なお、図６のステップＳ１１〜Ｓ１７はＤＳＣ１０の制御部１１により実行される処理を、ステップＳ２１〜Ｓ２４はＰＣ２０の制御部２１により実行される処理を示している。また、本処理の前提として、ＤＳＣ１０は、操作部１２を介した所定の操作により撮影モードが設定されているものとする。
【００６３】
まず、ＤＳＣ１０では、撮像部１５による撮影に係る動作が制御される（ステップＳ１１）。この状態でユーザにより、撮影対象となる被写体の撮影を行うレリーズキーが押下されると、この押下信号が入力された時点での被写体像の撮像データが、撮像データ取得部１１１により取得される（ステップＳ１２）。
【００６４】
次いで、取得された撮像データから所定のデータ量が間引きされることにより、当該撮像データの縮小データが縮小部１１２により生成され（ステップＳ１３）、この縮小データが画像データ送信制御部１１３の制御により通信部１６を介してＰＣ２０へと送信される（ステップＳ１４）。
【００６５】
一方、ＰＣ２０では、ＤＳＣ１０から送信された縮小データが、画像データ受信制御部２１１の制御により通信部２５を介して受信されると（ステップＳ２１）、画像補正情報導出部２１２により、縮小データの撮像シーンが判別された後（ステップＳ２２）、当該撮像シーンに応じた画像補正情報が導出される（ステップＳ２３）。
【００６６】
次いで、ステップＳ２３で導出された画像補正情報が、画像補正情報送信制御部２１３の制御より通信部２５を介してＤＳＣ１０へと送信される（ステップＳ２４）。
【００６７】
一方、ＤＳＣ１０では、ＰＣ２０から送信された画像補正情報が、画像補正情報受信制御部１１４の制御により通信部１６を介して受信されると（ステップＳ１５）、この画像補正情報に基づいて、画像処理部１１５により記憶部１４に一時記憶された撮像データに所定の画像処理が施され、当該撮像データの階調が補正された補正画像データが生成された後（ステップＳ１６）、この補正画像データが記憶部１４に記憶されて（ステップＳ１７）、本処理は終了する。
【００６８】
なお、本処理では、ＤＳＣ１０から送信される画像データを縮小データとしたが、これに限らず、撮像データであってもよく、縮小データと同様の処理が施されることにより撮像データから画像補正情報がＰＣ２０において生成されるものとする。
【００６９】
図８は、上述した撮像処理におけるＤＳＣ１０とＰＣ２０との間で授受される各種データ（情報）の流れを示した図である。
図８に示すように、ＤＳＣ１０から画像データとして撮像部１５及び撮像データ取得部１１１により取得された撮像データ（ＲＡＷデータ又はＪＰＥＧデータ）、或いは縮小部１１２により生成された縮小データがＰＣ２０に送信されと、この画像データに基づいてＰＣ２０の画像補正情報導出部２１２により画像補正情報が導出され、ＤＳＣ１０へと送信される。そして、ＤＳＣ１０では、ＰＣ２０から送信された画像補整情報に基づいて画像処理部１１５により、撮像データの階調を調整した補正画像データが生成され、記憶部１４に記憶される。
【００７０】
以上のように、本実施形態によれば、ＰＣ２０において撮像データに対応する縮小データを処理して得られた画像補正情報に基づいて、ＤＳＣ１０が撮像データの階調を補正するため、ＤＳＣ１０の処理能力に依存することなく、適切な階調（画質）に補正された補正画像データを取得することができる。また、撮像データのデータサイズを縮小した縮小データを送信するため、撮像データの送受信時と比較し、撮像装置及び情報端末の送受信に係る負荷を軽減することが可能となり、処理を迅速に行うことができる。
【００７１】
＜第２の実施形態＞
次に、撮像システム１００の第２の実施形態について説明する。なお、説明の簡略化のため、上述した第１の実施形態と同一要素については同符号を付し、その詳細な説明は適宜省略する。
【００７２】
まず、図９を参照して本実施形態のＤＳＣ１０が備える制御部１１の内部構成について説明する。
図９に示すように、制御部１１は、撮像データ取得部１１１、画像データ送信制御部１１３、補正画像データ受信制御部１１６により構成される。
【００７３】
撮像データ取得部１１１は、撮像部１５により撮像された撮像データを取得し、この撮像データを記憶部１４に一時記憶させる。ここで、撮像データ取得部１１１は、撮像データを取得した際に、この撮像データが撮像された際の撮影日時や、シャッタースピード、絞り、焦点距離、フラッシュ使用の有無等の撮像条件に関する情報や、被写体輝度値、被写体領域、被写体位置、ＤＳＣ１０の識別名称（型番）、撮影者のユーザ名等に関する情報を含んだ撮像条件情報を撮像データに付加する。撮像条件情報は、例えば、撮像データのヘッダ部に付加することとしてもよいし、Ｅｘｉｆ等所定の形式に準拠した態様で付加することとしてもよい。
【００７４】
なお、撮像データは、撮像素子からの画像信号がそのままの状態、つまりＲＡＷデータの状態で記憶されることとしてもよいし、撮像素子からの画像信号に所定の処理を施すことで生成されるＪＰＥＧ等の所定の規格に準拠したＪＰＥＧデータの状態で記憶されることとしてもよい。なお、撮像データ取得部１１１がＪＰＥＧデータの生成を行うものとするが、他の機能部（例えば、画像処理部１１５等）が行うこととしてもよい。
【００７５】
画像データ送信制御部１１３は、撮像データ取得部１１１で取得された撮像データを、通信部１６を介してＰＣ２０に送信するための制御を行う。
【００７６】
補正画像データ受信制御部１１６は、ＰＣ２０から送信された補正画像データを、通信部１６を介して受信するための制御を行う。また、補正画像データ受信制御部１１６は、受信した補正画像データを記憶部２４に記憶させる。
【００７７】
上述した制御部１１における各部の動作（処理）は、制御部１１内に備えられたＡＳＩＣ等の専用回路によるハードウェア処理により行われることとしてもよいし、記憶部１４に記憶された所定のプログラムとの協同により実現されるソフトウェア処理により行われることとしてもよい。
【００７８】
次に、図１０を参照して本実施形態のＰＣ２０が備える制御部２１の内部構成を説明する。
図１０に示すように、制御部２１は、画像データ受信制御部２１１、画像補正情報導出部２１２、画像処理部２１４、補正画像データ送信制御部２１５により構成される。
【００７９】
画像データ受信制御部２１１は、ＤＳＣ１０から送信された画像データ（撮像データ）を、通信部２５を介して受信するための制御を行う。また、画像データ受信制御部２１１は、受信した撮像データを記憶部２４に一時記憶させる。
【００８０】
画像補正情報導出部２１２は、画像データ受信制御部２１１の制御により受信された画像データに基づいて、当該画像データの階調を補正する各種パラメータを含んだ画像補正情報を導出する。
【００８１】
画像処理部２１４は、画像補正情報導出部２１２で導出された画像補正情報に基づいて、記憶部２４に一時記憶された撮像データに所定の画像処理を施すことで当該撮像データの階調補正を行った補正画像データを生成する。
【００８２】
補正画像データ送信制御部２１５は、画像処理部２１４で生成された補正画像データを、通信部２５を介してＤＳＣ１０に送信するための制御を行う。
【００８３】
上述した制御部２１における各部の動作（処理）は、制御部２１内に備えられたＡＳＩＣ等の専用回路によるハードウェア処理により行われることとしてもよいし、記憶部２４に記憶された所定のプログラムとの協同により実現されるソフトウェア処理により行われることとしてもよい。
【００８４】
次に、図１１及び図１２を参照して、ＤＳＣ１０とＰＣ２０との間で行われる画像データ補正処理について説明する。なお、図１１のステップＳ３１〜Ｓ３５はＤＳＣ１０の制御部１１により実行される処理を、ステップＳ４１〜Ｓ４５はＰＣ２０の制御部２１により実行される処理を示している。また、本処理の前提として、ＤＳＣ１０は、操作部１２を介した所定の操作により撮影モードが設定されているものとする。
【００８５】
まず、ＤＳＣ１０では、撮像部１５による撮影に係る動作が制御される（ステップＳ３１）。この状態でユーザにより、撮影対象となる被写体の撮影を行うレリーズキーが押下されると、この押下信号が入力された時点での被写体像の撮像データが、撮像データ取得部１１１により取得され（ステップＳ３２）、この撮像データが画像データ送信制御部１１３の制御により通信部１６を介してＰＣ２０へと送信される（ステップＳ３３）。
【００８６】
一方、ＰＣ２０では、ＤＳＣ１０から送信された撮像データが、画像データ受信制御部２１１の制御により通信部２５を介して受信されると（ステップＳ４１）、画像補正情報導出部２１２により、撮像データの撮像シーンが判別された後（ステップＳ４２）、当該撮像シーンに応じた画像補正情報が導出される（ステップＳ４３）。
【００８７】
次いで、ステップＳ４３で導出された画像補正情報に基づいて、画像処理部２１４により記憶部２４に一時記憶された撮像データに所定の画像処理が施され、当該撮像データの階調が補正された補正画像データが生成された後（ステップＳ４４）、この補正画像データが補正画像データ送信制御部２１５の制御により通信部２５を介してＤＳＣ１０へと送信される（ステップＳ４５）。
【００８８】
一方、ＤＳＣ１０では、ＰＣ２０から送信された補正画像データ情報が、補正画像データ受信制御部１１６の制御により通信部１６を介して受信され（ステップＳ３４）、この補正画像データが記憶部１４に記憶されて（ステップＳ３５）、本処理は終了する。
【００８９】
図１２は、上述した撮像処理におけるＤＳＣ１０とＰＣ２０との間で授受される各種データ（情報）の流れを示した図である。
図１２に示すように、ＤＳＣ１０から画像データとして撮像部１５及び撮像データ取得部１１１により取得された撮像データ（ＲＡＷデータ又はＪＰＥＧデータ）がＰＣ２０に送信されと、この画像データに基づいてＰＣ２０の画像補正情報導出部２１２により画像補正情報が導出された後、この画像補正情報に基づいて画像処理部２１４により、撮像データの階調を調整した補正画像データが生成される。そして、生成された補正画像データがＤＳＣ１０へと送信され、記憶部１４に記憶される。
【００９０】
以上のように、本実施形態によれば、ＰＣ２０において撮像データを処理して得られた画像補正情報に基づいて、撮像データの階調を補正した補正画像データを生成し、この補正画像データをＤＳＣ１０に送信するため、ＤＳＣ１０の処理能力に依存することなく、適切な階調（画質）に補正された補正画像データを取得することができる。
【００９１】
本発明は、上記実施形態に限定されることなく、本発明の趣旨を逸脱しない範囲において、種々の改良並びに設計の変更を行ってもよい。
例えば、ＰＣ２０が上述した縮小部１１２と同等の機能を備え、ＤＳＣ１０から送信された撮像データから縮小データを生成し、この縮小データに基づいて画像補正情報を導出する態様としてもよい。
【００９２】
また、上記実施形態では、撮像データが取得された後のＤＳＣ１０とＰＣ２０との通信や画像補正情報の生成等を自動的に行う態様としたが、これに限らず、ＤＳＣ１０において取得した撮像データ又は縮小データを表示部１３に表示し、この表示された撮像データ又は縮小データがユーザにより確認された後、操作部１２を介して入力される補正を行う旨の押下信号に基づいて行う態様としてもよい。
【００９３】
また、撮影動作を行う前にユーザにより設定された補正レベルを撮像情報の一部として記憶し、この撮像情報に基づいて画像補正情報を導出することで、ユーザが所望する補正画像データを得ることができる。
【図面の簡単な説明】
【００９４】
【図１】本発明の撮像システムの概要を示した図である。
【図２】ＤＳＣの内部構成を示したブロック図である。
【図３】第１の実施形態におけるＤＳＣの制御部の内部構成を示したブロック図である。
【図４】ＰＣの内部構成を示したブロック図である。
【図５】第１の実施形態におけるＰＣの制御部の内部構成を示したブロック図である。
【図６】各階調補正方法に対応する階調変換曲線を示した図である。
【図７】第１の実施形態における画像データ補正処理の手順を示したラダーチャートである。
【図８】第１の実施形態においてＤＳＣとＰＣとの間で授受される各種データの流れを示した図である。
【図９】第２の実施形態におけるＤＳＣの制御部の内部構成を示したブロック図である。
【図１０】第２の実施形態におけるＰＣの制御部の内部構成を示したブロック図である。
【図１１】第２の実施形態における画像データ補正処理の手順を示したラダーチャートである。
【図１２】第２の実施形態においてＤＳＣとＰＣとの間で授受される各種データの流れを示した図である。
【符号の説明】
【００９５】
１００  撮像システム
１０    ＤＳＣ
１１    制御部
１１１  撮像データ取得部
１１２  縮小部
１１３  画像データ送信制御部
１１４  画像補正情報受信制御部
１１５  画像処理部
１１６  補正画像データ受信制御部
１２    操作部
１３    表示部
１４    記憶部
１５    撮像部
１６    通信部
２０    ＰＣ
２１    制御部
２１１  画像データ受信制御部
２１２  画像補正情報導出部
２１３  画像補正情報送信制御部
２１４  画像処理部
２１５  補正画像データ送信制御部
２２    操作部
２３    表示部
２４    記憶部
２５    通信部
３０    無線通信局
【図１】
2007081549.tif 000003
【図２】
2007081549.tif 000004
【図３】
2007081549.tif 000005
【図４】
2007081549.tif 000006
【図５】
2007081549.tif 000007
【図６】
2007081549.tif 000008
【図７】
2007081549.tif 000009
【図８】
2007081549.tif 000010
【図９】
2007081549.tif 000011
【図１０】
2007081549.tif 000012
【図１１】
2007081549.tif 000013
【図１２】
2007081549.tif 000014